【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
ユニバーサルシリアルバス（ＵＳＢ）ポートコネクタを介してＵＳＢデバイスをインターフェースするためのＵＳＢポートコントローラであって、
通信接続を通じてポートマネージャ回路と通信するための通信インターフェース回路と、
制御回路であって、
前記通信インターフェース回路が前記通信接続を通じて前記ポートマネージャ回路からコマンドを受信することに応答して、ＵＳＢポートコントローラの動作を、前記ＵＳＢポートコントローラの通常動作のための第１の電力モードから、前記ＵＳＢポートコントローラによる前記第１の電力モードにおける電力消費に比較して削減された電力消費のための第２の電力モードに切り換え、
（ｉ）前記通信接続上の検出されたアクティビティ、又は（ｉｉ）前記ＵＳＢポートコネクタへのＵＳＢデバイスの検出された接続の何れか一方の発生に応答して、前記ＵＳＢポートコントローラの動作を前記第２の電力モードから前記第１の電力モードに切り換え、
前記通信接続上の検出されたアクティビティに応答して前記第２の電力モードから前記第１の電力モードに切り換わる後に、前記ＵＳＢポートコントローラにアドレスされる通信トランザクションが、前記第２の電力モードから前記第１の電力モードに切り換わる後のゼロでない或る時間内に前記通信接続を通じて受信されない限り、前記ＵＳＢポートコントローラの動作を前記第２の電力モードに自動的に切り換える、
ように構成される、前記制御回路と、
を含む、ＵＳＢポートコントローラ。
【請求項２】
請求項１に記載のＵＳＢポートコントローラであって、
電力回路であって、
前記電力回路が前記ＵＳＢポートコネクタの電力ラインに電力を搬送する第１のポートモードと、
前記電力回路が前記電力ラインから電力を受け取る第２のポートモードと、
前記電力回路が、前記ＵＳＢポートコネクタへの前記ＵＳＢデバイスの接続をペンディングする前記電力ラインに電力を搬送することをやめる、又は前記電力ラインから電力を受け取ることをやめる、第３のポートモードと、
の１つを含む、構成されたポートモードにおいて選択的に動作するように前記ポートマネージャ回路によって構成可能である、前記電力回路を更に含み、
前記第２の電力モードから前記第１の電力モードに切り換わる後に、前記電力回路が前記構成されたポートモードで動作し続ける、ＵＳＢポートコントローラ。
【請求項３】
請求項２に記載のＵＳＢポートコントローラであって、
前記第２の電力モードにおいて、前記電力回路が、
前記ＵＳＢポートコネクタへのパワーシンキングＵＳＢデバイスの接続を検出するために、前記ＵＳＢポートコントローラが前記ＵＳＢポートコネクタの構成チャネルラインを監視する、未取り付けソース状態と、
前記ＵＳＢポートコネクタへのパワーソーシングＵＳＢデバイスの接続を検出するために、前記ＵＳＢポートコントローラが前記構成チャネルラインを監視する、ディセーブル状態と、
の間でトグルするように、前記第３のポートモードで動作する、ＵＳＢポートコントローラ。
【請求項４】
請求項３に記載のＵＳＢポートコントローラであって、
前記ＵＳＢポートコネクタへのＵＳＢデバイスの接続を検出するために、前記ＵＳＢポートコネクタの前記構成チャネルラインの電圧を比較するように前記第２の電力モードにおいて作用するコンパレータであって、前記構成チャネルラインの前記電圧が閾値電圧を超えることに応答してポート接続検出信号を提供するための出力を含む、前記コンパレータと、
前記電力回路が前記ディセーブル状態における前記第３のポートモードで動作するときと、前記電力回路が前記第２のポートモードで動作するときとに、プルダウン抵抗器を前記構成チャネルラインに接続するように前記第２の電力モードにおいて作用するスイッチを含むバイアス制御回路であって、前記プルダウン抵抗器が前記ＵＳＢポートコネクタに接続されるソーシングＵＳＢデバイスによって検出されないように、前記プルダウン抵抗器が充分大きい抵抗を有する、前記バイアス制御回路と、
を更に含む、ＵＳＢポートコントローラ。
【請求項５】
請求項４に記載のＵＳＢポートコントローラであって、
前記第１の電力モードにおいて、前記電力回路が、
前記ＵＳＢポートコネクタへのパワーシンキングＵＳＢデバイスの接続を検出するために、前記ＵＳＢポートコントローラが前記ＵＳＢポートコネクタの構成チャネルラインを監視する、未取り付けソース状態と、
前記ＵＳＢポートコネクタへのパワーソーシングＵＳＢデバイスの接続を検出するために、前記ＵＳＢポートコントローラが前記構成チャネルラインを監視する、未取り付けシンク状態と、
の間でトグルするように、前記第３のポートモードで動作する、ＵＳＢポートコントローラ。
【請求項６】
請求項４に記載のＵＳＢポートコントローラであって、
前記ＵＳＢポートコネクタへの前記ＵＳＢデバイスの接続に応答して、前記構成チャネルラインの前記電圧が前記閾値電圧を超えることを示す、前記コンパレータからの前記ポート接続検出信号に応答して、前記制御回路が、前記ＵＳＢポートコントローラの動作を前記第２の電力モードから前記第１の電力モードに切り換えるように構成される、ＵＳＢポートコントローラ。
【請求項７】
請求項３に記載のＵＳＢポートコントローラであって、
前記第１の電力モードにおいて、前記電力回路が、
前記ＵＳＢポートコネクタへのパワーシンキングＵＳＢデバイスの接続を検出するために、前記ＵＳＢポートコントローラが前記ＵＳＢポートコネクタの構成チャネルラインを監視する、未取り付けソース状態と、
前記ＵＳＢポートコネクタへのパワーソーシングＵＳＢデバイスの接続を検出するために、前記ＵＳＢポートコントローラが前記構成チャネルラインを監視する、未取り付けシンク状態と、
の間でトグルするように、前記第３のポートモードで動作する、ＵＳＢポートコントローラ。
【請求項８】
請求項２に記載のＵＳＢポートコントローラであって、
前記ＵＳＢポートコネクタへのＵＳＢデバイスの接続を検出するために、前記ＵＳＢポートコネクタの構成チャネルラインの電圧を比較するように前記第２の電力モードにおいて作用するコンパレータであって、前記構成チャネルラインの前記電圧が閾値電圧を超えることに応答してポート接続検出信号を提供するための出力を含む、前記コンパレータと、
プルダウン抵抗器を前記構成チャネルラインに接続するように前記第２の電力モードにおいて作用するスイッチを含むバイアス制御回路であって、前記プルダウン抵抗器が前記ＵＳＢポートコネクタに接続されるソーシングＵＳＢデバイスによって検出されないように、前記プルダウン抵抗器が充分大きい抵抗を有する、前記バイアス制御回路と、
を更に含み、
前記ＵＳＢポートコネクタへの前記ＵＳＢデバイスの接続に応答して、前記構成チャネルラインの前記電圧が前記閾値電圧を超えることを示す、前記コンパレータからの前記ポート接続検出信号に応答して、前記制御回路が、前記ＵＳＢポートコントローラの動作を前記第２の電力モードから前記第１の電力モードに切り換えるように構成される、ＵＳＢポートコントローラ。
【請求項９】
請求項８に記載のＵＳＢポートコントローラであって、
前記制御回路が、前記通信接続の検出される信号エッジに応答して通信検出信号を提供するように前記第２の電力モードにおいて作用するコンパレータを含み、
前記通信接続の前記検出された信号エッジを示す前記通信検出信号に応答して、前記制御回路が、ＵＳＢポートコントローラの動作を前記第２の電力モードから前記第１の電力モードに前記切り換えるように構成される、ＵＳＢポートコントローラ。
【請求項１０】
請求項１に記載のＵＳＢポートコントローラであって、
前記ＵＳＢポートコネクタへのＵＳＢデバイスの接続を検出するために、前記ＵＳＢポートコネクタの構成チャネルラインの電圧を比較するように前記第２の電力モードにおいて作用するコンパレータであって、前記構成チャネルラインの前記電圧が閾値電圧を超えることに応答してポート接続検出信号を提供するための出力を含む、前記コンパレータと、
プルダウン抵抗器を前記構成チャネルラインに接続するように前記第２の電力モードにおいて作用するスイッチを含むバイアス制御回路であって、前記プルダウン抵抗器が前記ＵＳＢポートコネクタに接続されるソーシングＵＳＢデバイスによって検出されないように、前記プルダウン抵抗器が充分大きい抵抗を有する、前記バイアス制御回路と、
を更に含み、
前記ＵＳＢポートコネクタへの前記ＵＳＢデバイスの接続に応答して、前記構成チャネルラインの前記電圧が前記閾値電圧を超えることを示す、前記コンパレータからの前記ポート接続検出信号に応答して、前記制御回路が、前記ＵＳＢポートコントローラの動作を前記第２の電力モードから前記第１の電力モードに切り換えるように構成される、ＵＳＢポートコントローラ。
【請求項１１】
請求項１０に記載のＵＳＢポートコントローラであって、
前記制御回路が、前記通信接続の検出される信号エッジに応答して通信検出信号を提供するように前記第２の電力モードにおいて作用するコンパレータを含み、
前記通信接続の前記検出された信号エッジを示す前記通信検出信号に応答して、前記制御回路が、前記ＵＳＢポートコントローラの動作を前記第２の電力モードから前記第１の電力モードに切り換えるように構成される、ＵＳＢポートコントローラ。
【請求項１２】
請求項１に記載のＵＳＢポートコントローラであって、
前記制御回路が、前記通信接続の検出される信号エッジに応答して通信検出信号を提供するように前記第２の電力モードにおいて作用するコンパレータを含み、
前記通信接続の前記検出された信号エッジを示す前記通信検出信号に応答して、前記制御回路が、前記ＵＳＢポートコントローラの動作を前記第２の電力モードから前記第１の電力モードに切り換えるように構成される、ＵＳＢポートコントローラ。
【請求項１３】
請求項１に記載のＵＳＢポートコントローラであって、
前記通信インターフェース回路と前記制御回路とが集積回路内に製造される、ＵＳＢポートコントローラ。
【請求項１４】
ユニバーサルシリアルバス（ＵＳＢ）ポートコネクタを介してＵＳＢデバイスをインターフェースするためのＵＳＢポートコントローラであって、
通信接続を通じてポートマネージャ回路と通信するための通信インターフェース回路と、
制御回路であって、
前記ＵＳＢポートコントローラの通常動作のための第１の電力モード又は前記ＵＳＢポートコントローラによる削減された電力消費のための第２の電力モードにおいて、前記ＵＳＢポートコントローラを選択的に動作させ、
（ｉ）前記通信接続上の検出されたアクティビティ、又は（ｉｉ）前記ＵＳＢポートコネクタへのＵＳＢデバイスの検出された接続の何れか一方の発生に応答して、前記ＵＳＢポートコントローラの動作を前記第２の電力モードから前記第１の電力モードに切り換える、
ように構成される、前記制御回路と、
前記ＵＳＢポートコネクタへのＵＳＢデバイスの接続を検出するために、前記ＵＳＢポートコネクタの構成チャネルラインの電圧を比較するように前記第２の電力モードにおいて作用するコンパレータであって、前記構成チャネルラインの前記電圧が閾値電圧を超えることに応答してポート接続検出信号を提供するための出力を含む、前記コンパレータと、
プルダウン抵抗器を前記構成チャネルラインに接続するように前記第２の電力モードにおいて作用するスイッチを含むバイアス制御回路であって、前記プルダウン抵抗器が、前記第１の電力モードにおいて印加されるプルダウン抵抗より高い抵抗を有する、前記バイアス制御回路と、
を含む、ＵＳＢポートコントローラ。
【請求項１５】
請求項１４に記載のＵＳＢポートコントローラであって、
前記ＵＳＢポートコネクタへの前記ＵＳＢデバイスの接続に応答して、前記構成チャネルラインの前記電圧が前記閾値電圧を超えることを示す、前記コンパレータからの前記ポート接続検出信号に応答して、前記制御回路が、前記ＵＳＢポートコントローラの動作を前記第２の電力モードから前記第１の電力モードに切り換えるように構成される、ＵＳＢポートコントローラ。
【請求項１６】
請求項１５に記載のＵＳＢポートコントローラであって、
前記制御回路が、前記通信接続の検出される信号エッジに応答して通信検出信号を提供するように前記第２の電力モードにおいて作用するコンパレータを含み、
前記通信接続の前記検出された信号エッジを示す前記通信検出信号に応答して、前記制御回路が、前記ＵＳＢポートコントローラの動作を前記第２の電力モードから前記第１の電力モードに切り換えるように構成される、ＵＳＢポートコントローラ。
【請求項１７】
請求項１４に記載のＵＳＢポートコントローラであって、
前記制御回路が、前記通信接続の検出される信号エッジに応答して通信検出信号を提供するように前記第２の電力モードにおいて作用するコンパレータを含み、
前記通信接続の前記検出された信号エッジを示す前記通信検出信号に応答して、前記制御回路が、前記ＵＳＢポートコントローラの動作を前記第２の電力モードから前記第１の電力モードに切り換えるように構成される、ＵＳＢポートコントローラ。
【請求項１８】
請求項１４に記載のＵＳＢポートコントローラであって、
前記通信インターフェース回路と前記制御回路とが集積回路内に製造される、ＵＳＢポートコントローラ。
【請求項１９】
ユニバーサルシリアルバス（ＵＳＢ）ポートコントローラを動作させる方法であって、
前記ＵＳＢポートコントローラの通常動作のための第１の電力モード、又は前記ＵＳＢポートコントローラによる削減された電力消費のための第２の電力モードにおいて、前記ＵＳＢポートコントローラを選択的に動作させることと、
（ｉ）前記ＵＳＢポートコントローラ内の通信インターフェースに結合され、ＵＳＢポートコネクタに結合されない通信接続上の検出されたアクティビティ、又は（ｉｉ）前記ＵＳＢポートコネクタへのＵＳＢデバイスの検出された接続の何れか一方の発生に応答して、前記ＵＳＢポートコントローラの動作を前記第２の電力モードから前記第１の電力モードに切り換えることと、
前記通信接続上の検出されたアクティビティに応答して前記第２の電力モードから前記第１の電力モードに切り換わる後に、前記ＵＳＢポートコントローラにアドレスされる通信トランザクションが、前記第２の電力モードから前記第１の電力モードに切り換わった後のゼロでない或る時間内に前記通信接続上で受信されない限り、前記ＵＳＢポートコントローラの動作を前記第２の電力モードに自動的に切り換えることと、
を含む、方法。
【請求項２０】
請求項１９に記載の方法であって、
ポートマネージャ回路からの構成設定に従って構成されるポートモードにおいて選択的に動作するように前記ＵＳＢポートコントローラの電力回路を動作させることを更に含み、
前記構成されるポートモードが、
前記電力回路が前記ＵＳＢポートコネクタの電力ラインに電力を搬送する第１のポートモードと、
前記電力回路が前記電力ラインから電力を受け取る第２のポートモードと、
前記電力回路が、前記ＵＳＢポートコネクタへの前記ＵＳＢデバイスの接続をペンディングする前記電力ラインに電力を搬送することをやめる、又は前記電力ラインから電力を受け取ることをやめる、第３のポートモードと、
の１つを含み、
前記第２の電力モードから前記第１の電力モードに切り換わる後に、前記電力回路が前記構成されたポートモードで動作し続ける、方法。